(57)【要約】      （修正有）【課題】消防用ホース等を巻く作業は、疲れる作業なので従来より、ホースが堅く楽に巻けて取り外しも容易な軽量の巻き取り機を提供する。【解決手段】巻き取り軸とローラー間が可変構造の本品で、ホースをローラーに押し付け内部の空気や水を押し出しながら延長に適した堅いホースに巻き取り、外す時は、回転ハンドルを逆転させるだけで、巻き取り軸を変態させて楽に外せる、取り扱いが簡単で軽量、片手で運べる本発明品を提供する。【選択図】図１
2005040555.tif 000002
【特許請求の範囲】
【請求項１】
ホースの断面を考慮に入れ、軸断面で半月状に加工されたストッパー付の軸と、その軸の周りを回転するよう加工されストッパーにより固定される軸、この二本の軸による二重構造で変態する事を特徴とするホース巻き取り軸。
【請求項２】
巻き取り軸とローラー間を可変構造にして、巻き取りホースをローラーに押し付ける事で、空気や水を押し出しながら巻き取る事を特徴とする、ホース巻き取り機
【発明の詳細な説明】
【技術分野】
【０００１】  本発明品は、火災現場や訓練等での使用に適した二重巻きホースを、短時間で巻き取れる軽量の巻き取り機械です。
【背景技術】
【０００２】  従来の軽量な機械は２本の棒状の軸でホースを巻き込む構造のため、内部に空気や水が残り、堅く巻く事が難しい構造である、そのためホースを引っ張るなどして堅く巻く構造の機械もあるが、取り外す時に抜けにくくなるため、てこの原理などを利用し無理矢理引き抜くなど、力任せの構造が多く複雑で重い機械となり、ホースを傷める心配もあります。
【発明の開示】
【発明が解決しようとする課題】
【０００３】  消防の延長に適したホースを巻くには、ホースを押さえながら巻く必要があり現状は手巻きが主流であり疲れる作業なので、機械で楽に巻ける様にする。
【課題を解決するための手段】
【０００４】  消防用ホースは、堅く巻く必要があり従来の機械巻きの場合、巻き取り軸からホースが抜けにくくなるため本品は、太い巻き取り軸を半月状に切断し、その軸の周りを回転する軸を設ける事でホースが抜ける空間を確保し、軸が巻き取り時は太く、取り外し時は細くなる二重構造の変態する巻き取り軸（図３及び図４参照）を作り、その軸とローラー間を可変式にして押さえハンドルでホースをローラーに押し付け、内部の空気や水を押し出し、ガイドローラーにより整えて巻き取れる様にしました。  構造が簡単なので、片手で運べる軽量の機械に仕上がり、運搬用のハンドルも取り付けました。
【発明の効果】
【０００５】  本発明品は、ホース巻きに熟練していない者でも速く、きれいに巻けて片手で運べる重さなので、時間と労力の節約になる。
【発明を実施するための最良の形態】
【０００６】  本発明を「図１」で説明すると、１と２の間でホースを押さえながら巻き取る構造で７の後端を左足で押さえ４を左手で持ち３を右手で、回し使用します。
【実施例】
【０００７】  本発明品で消防ホースを二重巻きにする説明を図面の番号でします。
（イ）おす金具を上に二つ折りした消防ホースの中央から約８０ｃｍおす金具よりの部分を１の軸部１ａと１ｂの間に、１ａに引っかけるように入れてホースを引き５ａと５ｂ及び２ａと２ｂの間に落とし，４を押さえながら３を右に回すと１ａが同時回転し、１ｂは１ａの周りを、約１８０°遅れて回転し１ｃにより固定された後は、同時回転します。
（ロ）ホースは、「図４」の上の状態から巻き取り始められ，ホースの巻きが大きくなっても８で固定された６が持ち上がり，ホースは堅く巻けます。
（ハ）巻き取れたら４を押さえながら３を、約１８０°逆転させると巻き取り軸の１ａは、１ｂがホースにより固定されているため１ｂを残し「図３」及び「図４」の、上図の状態から下図の状態に回転して変態し、「図４」の１１が出来ます。  その時１ｃにより１ａと１ｂが固定され、ホースが抜ける状態になり４を持ち上げて抜き取ります。
（ニ）一人で巻くことも可能ですが、ホースの金具を持ってもらうと金具を傷める事無く速く巻き取れ、取り外しも楽です。【０００８】  サニーホース等を１本巻きにする場合はホース端２０ｃｍ程の部分を１ａと１ｂの間に入れて巻き始め、以後は上記と同じ要領で行います。
【産業上の利用可能性】
【０００９】  ２及び５を長くしたり５ｂ及び２ｂを移動式にすると，サイズの異なるホースでも巻き取れます。
【図面の簡単な説明】
【００１０】
【図１】  本発明品のホース巻き取り中の立面図である。
【図２】  本発明品のアームを持ち上げた状態の平面図である。
【図３】  ホースと、巻き取り軸の軸受け部の断面図及び、本発明品の巻き取り軸が変態する構造図である。（巻き取り時は上で、取り外し時は下です）  ホースの断面図は１ａを加工する根拠を示すため書かれています。
【図４】  巻き取り軸が、変態して出来る１１（空間）の説明及びローラーとの関係をホースの縦の中央を切断線としてホースも書いて示した図である。  （巻き始め時は上で、取り外し時は、下です）
【符号の説明】
【００１１】１    巻き取り軸  全体  （１ａ・１ｂ・１ｃも含めた巻き取り構造部）
１ａ  巻き取り軸  主軸
１ｂ  巻き取り軸  副軸
１ｃ  ストッパー（主軸の一部で副軸固定用です）
２    主ローラー
２ａ  右主  ガイドローラー
２ｂ  左主  ガイドローラー
３    巻き取りハンドル
４    押さえハンドル
５    フロントローラー
５ａ  右フロント  ガイドローラー
５ｂ  左フロント  ガイドローラー
６    アーム
７    台
８    アーム支点
９    ホース断面（１ａを加工する根拠説明のため書かれています）
１０  巻き取りホース（説明のためで、発明品でありません）
１１  空間（巻き取り後、３を逆転させると出来る）
１２  軸受けベアリング
１３  運搬ハンドル
【図１】
2005040555.tif 000003
【図２】
2005040555.tif 000004
【図３】
2005040555.tif 000005
【図４】
2005040555.tif 000006
【手続補正書】
【提出日】平成16年2月3日(2004.2.3)
【手続補正１】
【補正対象書類名】特許請求の範囲
【補正対象項目名】全文
【補正方法】変更
【補正の内容】
【書類名】  特許請求の範囲【請求項１】巻き取り軸主軸１ａのホース巻き取り部は、軸の片側を使用した横断面が半月で、巻き取るホースの端部が来る部分を少し細く加工するなどした滑らかな太い半月軸です。巻き取り軸副軸１ｂは、上記１ａの外周をホースの厚みだけ離れ、太い半月軸から最も離れる位置より半回転する構造の細い軸です。  この上記１ａと１ｂを平行で二重の構造に組み合わせ、巻き取りホースを利用した回転により変態する巻き取り軸全体１にして、この軸を取り付けた事を特徴とする、消防ホースなど送水フラットホース用の巻き取り機。【請求項２】アーム６に付いた巻き取り軸全体１と、台７に付いた主ローラー２との間をアーム支点８による可変構造にして、押さえハンドル４で巻き取り中のホースを主ローラー２に押し付ける事で、ホース内部の空気や水を押し出すとともに、ガイドローラー（２ａ２ｂ５ａ５ｂ）で整えながら巻き取る事を特徴とする、消防ホースなど送水フラットホース用の巻き取り機。【手続補正２】
【補正対象書類名】明細書
【補正対象項目名】０００６
【補正方法】変更
【補正の内容】
【０００６】  本発明を図１で説明すると、巻き取り軸全体１と主ローラ２の間で、巻き取りホース１０を押さえながら巻き取る構造で、台７の後端を左足で押さえ、押さえハンドル４を左手で持ち、巻き取りハンドル３を右手で、回し使用します。
【手続補正３】
【補正対象書類名】明細書
【補正対象項目名】０００７
【補正方法】変更
【補正の内容】
【０００７】  本発明品で消防ホースを二重巻きに、巻き取る説明をします。（イ）おす金具を上に、ホースの中央から約４０ｃｍおす金具よりで二つ折りしたホースの、折り返し部分を巻き取り軸主軸１ａに引っかけ、ホースを引っ張つて二重のホース部を、左右フロントガイドローラ５ａと５ｂ及び左右ガイドローラ２ａと２ｂの間に落とし、押さえハンドル４を押さえながら巻き取りハンドル３を右に回すと、巻き取り軸主軸１ａが同時回転し、副軸１ｂは主軸１ａの周りを、約１８０°遅れて回転しストッパー１ｃにより固定された後は、同時回転します。（ロ）ホースは、図４の上図の状態から巻き取り始められガイドローラ（２ａ２ｂ５ａ５ｂ）で整えられ、巻きが大きくなるとアーム支点８で保持されたアーム６や巻き取り軸全体１が持ち上がり、ホースは押さえられた状態で堅く巻けます。（ハ）巻き取れたら、押さえハンドル４を押さえながら巻き取りハンドル３を、約１８０°逆転させると巻き取り軸の主軸１ａは、副軸１ｂがホースにより固定されているため副軸１ｂを残し、図３及び図４の、上図の状態から下図の状態に回転して巻き取り軸全体１が変態し、図４の空間１１が出来ます。その時ストッパー１ｃにより、巻き取り軸主軸１ａと副軸１ｂが固定され、ホースが抜ける最良の状態になり押さえハンドル４を持ち上げて、巻けたホースを抜き取ります。（ニ）一人で巻くことも可能ですが、ホースの金具を持ってもらい、ホースを地面から少し持ち上げて巻き取ると、ホースや金具を傷める事無く速く巻き取れ、取り外しも二人の方が速く、容易に出来ます。
【手続補正４】
【補正対象書類名】明細書
【補正対象項目名】０００８
【補正方法】変更
【補正の内容】
【０００８】送水フラットホース等を１本巻きにする場合はホース先２０ｃｍ程の部分を巻き取り軸主軸１ａと副軸１ｂの間に入れて巻き、以後は上記と同じ要領で行います。
【手続補正５】
【補正対象書類名】明細書
【補正対象項目名】０００９
【補正方法】変更
【補正の内容】
【０００９】主ローラー２及びフロントローラー５を長くしたり左フロントガイドローラー５ｂ及び左主ガイドローラー２ｂを移動式にすると，サイズの異なる送水フラットホース等など、平らで軟らかな長い物が巻き取れます。
【手続補正６】
【補正対象書類名】明細書
【補正対象項目名】００１０
【補正方法】変更
【補正の内容】
【００１０】
【図１】本発明品で、送水フラットホースを二重巻き取り中の、斜視図である。
【図２】本発明品のアームを、約６０°持ち上げた状態の平面図である。
【図３】巻き取り軸全体１の軸受け部の断面図及び、巻き取り軸主軸１ａと副軸１ｂとで変態する構造図である。（巻き取り時は上で、取り外し時は下です。）消防ホースの断面図は、ホース端部が厚いことを示すため書かれています。
【図４】巻き取り軸主軸１ａと副軸１ｂとで変態して出来る空間１１の説明、及び主ローラー２との関係を、巻き取り部中央を切断線として、簡単な二重巻きホースも書いて示した図である。（巻き始め時は上で、取り外し時は下です。）
【手続補正８】
【補正対象書類名】図面
【補正対象項目名】図４
【補正方法】変更
【補正の内容】
【図４】
2005040555.tif 000007